(57)【要約】【課題】眼鏡を収納して携帯し、あるいは、壁面等に固定して、眼鏡を収納する場所として利用することができる、眼鏡ケースを提供する。【解決手段】この眼鏡ケースは、眼鏡の全体を囲繞して、眼鏡を収容する収容部を有するケース本体２０と、前記ケース本体２０に開閉自在に固定された蓋体４０と、前記ケース本体２０の背面に形成された磁石からなる取付手段３０，３６とを備え、蓋体４０は、ケース本体２０の外側であって背面側とは異なる方向に向けて、回転部７０を回転中心として回転して、開閉される、眼鏡ケースである。【選択図】図２
2007195893.tif 000002
【特許請求の範囲】
【請求項１】
眼鏡の全体を囲繞して、眼鏡を収容する収容部を有するケース本体と、
前記ケース本体に開閉自在に固定された蓋体と、
前記ケース本体の背面に形成された磁石からなる取付手段とを備えた、
眼鏡ケース。
【請求項２】
前記ケース本体は、背面と側面と正面と底面とにより収容部が形成され、
前記蓋体は、背面と側面と正面と底面とにより収容部が形成され、
前記ケース本体に形成される前記収容部の開口部と、前記蓋体に形成される前記収容部の開口部とは、略同一形状に形成され、
前記ケース本体の開口部及び前記蓋体の開口部において、前記ケース本体及び蓋体の側面または正面の対向する位置には、ケース本体と蓋体とを連結する回転部が設けられ、
前記ケース本体は、背面において被固定部に固定され、
前記蓋体は、ケース本体の外側であって背面側とは異なる方向に向けて、前記回転部を回転中心として回転して、開閉される、
請求項１に記載の眼鏡ケース。
【請求項３】
前記ケース本体は、背面の周辺より、上面、側面及び底面が立設されて収容部が形成され、
前記蓋体は、前記ケース本体の背面と対向する正面の周辺より、上面、側面及び底面が立設されて収容部が形成され、
前記ケース本体に形成される前記収容部の開口部と、前記蓋体に形成される前記収容部の開口部とは、略同一形状に形成され、
前記ケース本体の開口部及び前記蓋体の開口部において、前記ケース本体及び蓋体の側面又は底面又は上面の対向する位置には、ケース本体と蓋体とを連結する回転部が設けられ、
前記ケース本体は、背面において被固定部に固定され、
前記蓋体は、ケース本体の外側であって背面側とは異なる方向に向けて、前記回転部を回転中心として回転して、開閉される、
請求項１に記載の眼鏡ケース。
【請求項４】
前記ケース本体は、背面と側面と上面と底面とにより収容部が形成され、
前記蓋体は、正面を有し、ケース本体に形成される前記収容部の開口部を閉塞するように形成され、
前記ケース本体の開口部及び前記蓋体の開口部において、ケース本体及び蓋体の側面又は上面の対向する位置には、ケース本体と蓋体とを連結する回転軸が設けられ、
前記ケース本体は、背面において被固定部に固定され、
前記蓋体は、ケース本体の外側であって背面側とは異なる方向に向けて、前記回転部を回転中心として回転して、開閉するように形成された、
請求項１に記載の眼鏡ケース。
【発明の詳細な説明】
【技術分野】
【０００１】
この発明は、眼鏡ケースに関し、特にたとえば、携帯用眼鏡ケースとして利用でき、更に、磁性体を有する壁面等に固定して利用することができる眼鏡ケースに関する。
【背景技術】
【０００２】
従来の眼鏡ケースは、主として、眼鏡を収納して携帯し、あるいは、保管するための用途しか備えていない。
そのために、眼鏡ケースの収納場所が定まらず、眼鏡ケースを紛失したり、時には足で踏みつけるなどして破損したりするおそれがあった。
そこで、磁石の磁力によって容易に固定することができ、眼鏡を所定の位置に収納するようにした眼鏡ケースが提案されている(特許文献１参照)。
又、眼鏡を確実且つ安全に収容し、収容した眼鏡を簡便に取り出すことができ、眼鏡ケースの裏面に吸盤、接着層、接着材、磁石、係止部材等の取付手段が設けられたメガネ等ケースが提案されている（特許文献２参照）。
【０００３】
【特許文献１】実開昭５７−１８２３２９号公報
【特許文献２】特許第２８９７８６８号公報
【発明の開示】
【発明が解決しようとする課題】
【０００４】
しかしながら、特許文献１に記載された眼鏡ケース及び特許文献２に記載されたメガネ等ケースのいずれもが、眼鏡を収納する収納部分の上部に開口部が設けられ、且つその開口部をふさぐものがないために、眼鏡ケース全体が例えば壁面等に固着していても、眼鏡ケースが落下したときには眼鏡ケースの収納部から眼鏡が外に飛び出し、眼鏡を破損するおそれがあり、又、眼鏡ケースの外形には突部が形成されているので、携帯には適さないものである。
【０００５】
それゆえに、この発明の主たる目的は、眼鏡を収納して携帯し、あるいは、壁面等に固定して、眼鏡を収納する場所として利用することができる、眼鏡ケースを提供することである。
【課題を解決するための手段】
【０００６】
この発明の請求項１にかかる眼鏡ケースは、眼鏡の全体を囲繞して、眼鏡を収容する収容部を有するケース本体と、前記ケース本体に開閉自在に固定された蓋体と、前記ケース本体の背面に形成された磁石からなる取付手段とを備えた、眼鏡ケースである。
この発明の請求項２にかかる眼鏡ケースは、前記ケース本体は、背面と側面と正面と底面とにより収容部が形成され、前記蓋体は、背面と側面と正面と底面とにより収容部が形成され、前記ケース本体に形成される前記収容部の開口部と、前記蓋体に形成される前記収容部の開口部とは、略同一形状に形成され、前記ケース本体の開口部及び前記蓋体の開口部において、前記ケース本体及び蓋体の側面または正面の対向する位置には、ケース本体と蓋体とを連結する回転部が設けられ、前記ケース本体は、背面において被固定部に固定され、前記蓋体は、ケース本体の外側であって背面側とは異なる方向に向けて、前記回転部を回転中心として回転して、開閉される、請求項１に記載の眼鏡ケースである。
この発明の請求項３にかかる眼鏡ケースは、前記ケース本体は、背面の周辺より、上面、側面及び底面が立設されて収容部が形成され、前記蓋体は、前記ケース本体の背面と対向する正面の周辺より、上面、側面及び底面が立設されて収容部が形成され、前記ケース本体に形成される前記収容部の開口部と、前記蓋体に形成される前記収容部の開口部とは、略同一形状に形成され、前記ケース本体の開口部及び前記蓋体の開口部において、前記ケース本体及び蓋体の側面又は底面又は上面の対向する位置には、ケース本体と蓋体とを連結する回転部が設けられ、前記ケース本体は、背面において被固定部に固定され、前記蓋体は、ケース本体の外側であって背面側とは異なる方向に向けて、前記回転部を回転中心として回転して、開閉される、請求項１に記載の眼鏡ケースである。
この発明の請求項４にかかる眼鏡ケースは、前記ケース本体は、背面と側面と上面と底面とにより収容部が形成され、前記蓋体は、正面を有し、ケース本体に形成される前記収容部の開口部を閉塞するように形成され、前記ケース本体の開口部及び前記蓋体の開口部において、ケース本体及び蓋体の側面又は上面の対向する位置には、ケース本体と蓋体とを連結する回転軸が設けられ、前記ケース本体は、背面において被固定部に固定され、前記蓋体は、ケース本体の外側であって背面側とは異なる方向に向けて、前記回転部を回転中心として回転して、開閉するように形成された、請求項１に記載の眼鏡ケースである。
【発明の効果】
【０００７】
この発明にかかる眼鏡ケースは、眼鏡の全体を囲繞して、眼鏡を収容する収容部を有するケース本体と、前記ケース本体に開閉自在に固定された蓋体と、前記ケース本体の背面に形成された磁石からなる取付手段とを備えているので、携帯用眼鏡ケースとして利用することができ、且つ、ケース本体の背面に形成された取付手段の磁力により壁面等に固定することができ、眼鏡を収容する場所として利用することができる。
又、ケース本体の収容部に眼鏡を収容し、蓋体によりケース本体の開口を閉塞すれば、ケース本体から眼鏡が飛び出ることもなく、安全に保管することができる。
【０００８】
この発明の上述の目的、その他の目的、特徴および利点は、図面を参照して行う以下の発明を実施するための最良の形態の説明から一層明らかとなろう。
【発明を実施するための最良の形態】
【０００９】
図１は、この発明にかかる眼鏡ケースを携帯用眼鏡ケースとして使用した状態を示す斜視図である。図２は、この発明にかかる眼鏡ケースを壁面に取り付けた状態を示す斜視図である。図３は、この発明にかかる眼鏡ケースを卓上スタンドケースとして使用した場合における断面図である。
【００１０】
まず、この発明にかかるスタンド機能付眼鏡ケース１０を携帯用眼鏡ケースとして使用する状態を説明する。
スタンド機能付眼鏡ケース１０は、第１ケース体２０と、蓋体としての機能とケース本体としての機能を併せ有する第２ケース体４０とにより構成され、たとえば、収容部を有する略直方体とした箱状体に形成される。
第１ケース体２０は、ケース本体としての役割を有し、第２ケース体４０は、第１ケース体２０の収容部の開口部を被蓋する蓋体としての役割を有しており、第１ケース体２０の上部に第２ケース体４０が配置される。
【００１１】
第１ケース体２０は、底面２２と胴部２４とにより眼鏡Ｇを収容するための収容部２８が形成されている。収容部２８には、たとえば、仕切り部材３４が、たとえば、取り外し可能に配置されている。
第１ケース体２０における胴部２４は、たとえば、正面２４ａ、右側面２４ｂ、左側面２４ｃ、背面２４ｄの４面により形成されており、第１ケース体２０は、底面２２とともに箱状体に形成されている。収容部２８における底面２２の反対側、すなわち、正面２４ａ、右側面２４ｂ、左側面２４ｃ、背面２４ｄのそれぞれ上端辺の４辺により開口部２６が設けられている。
【００１２】
第１ケース体２０の背面２４ｄの上端辺付近において、第２ケース体４０により第１ケース体２０に蓋をした状態を維持するための接合手段３０が、たとえば、磁石を配置することにより形成される。本実施例においては、後に述べる表側部材６０の第１ケース体２０の背面２４ｄ上端辺の上部側に、接合手段３０が形成される。接合手段３０を構成する磁石（マグネット）は、鉄板等の磁性体を含む壁面等の被固定部に固定する取付手段としての機能を有する。
また、第１ケース体２０の正面２４ａの下端部において、維持手段３２が、たとえば、磁石を配置することにより形成される。
【００１３】
第１ケース体２０は、たとえば、板紙により略直方体とした箱状体を形作る芯材２０ａにより形成され、該芯材２０ａの収容部２８側である内側面は、たとえば、フェルト等の保護材２０ｃにより覆われるように形成されている。
【００１４】
第２ケース体４０は、上面４２と胴部４４とにより収容部４８が形成されている。第２ケース体４０は、上述したように、第１ケース体２０の開口部２６を被蓋する蓋としての役割を有する。第２ケース体４０における胴部４４は、たとえば、正面４４ａ、右側面４４ｂ、左側面４４ｃ、背面４４ｄの４面により形成されており、第２ケース体４０は、上面４２とともに箱状体に形成されている。収容部４８における上面４２の反対側、すなわち、正面４４ａ、右側面４４ｂ、左側面４４ｃ、背面４４ｄのそれぞれの下端辺の４辺により開口部４６が設けられている。
第２ケース体４０の背面４４ｄの下端辺には、第２ケース体４０により第１ケース体２０に蓋をした状態を維持するための接合手段５０が、たとえば、磁性体である板状の金属片により設けられている。該接合手段５０は、第２ケース体４０の背面４４ｄの略中央から下端辺に向かって、後に述べる表側部材６０の厚さ分低く設けられる。
また、第２ケース体４０の正面４４ａの上端部において、維持手段５２が、たとえば、磁石を配置することにより形成される。
第２ケース体４０は、たとえば、板紙により略直方体とした箱状体を形作る芯材４０ａにより形成され、該芯材４０ａの収容部４８側である内側面は、たとえば、フェルト等の保護材４０ｃにより覆われるように形成されている。
【００１５】
第１ケース体２０および第２ケース体４０は、第１ケース体２０における背面２４ｄ、底面２２、正面２４ａおよび第２ケース体４０における正面４４ａ、上面４２、背面４４ｄの大きさとした矩形に形成された表側部材６０が、第１ケース体２０における背面２４ｄ、底面２２、正面２４ａおよび第２ケース体４０における正面４４ａ、上面４２、背面４４ｄの略中央付近に、たとえば、接着剤等により接着されることで、第１ケース体２０と第２ケース体４０とが一体に形成される。
表側部材６０は、たとえば、柔軟な合成皮等からなる基材６０ａと、該基材６０ａの外側を包むように貼着された柔軟な合成皮等からなる表面材６０ｂとを有している。
【００１６】
第１ケース体２０の開口部２６および第２ケース体４０の開口部４６は、枠状とした略同一形状に形成されており、たとえば、側面視直線に形成されている。
そして、開口部２６，開口部４６のそれぞれ対向する位置において、開口部２６および開口部４６の周端縁の一部、たとえば、第１ケース体２０の正面２４ａの上端辺および第２ケース体４０の正面４４ａの下端辺に相当する表側部材６０の部分には、第１ケース体２０および第２ケース体４０とを連結する回転部７０が設けられている。
回転部７０は、第２ケース体４０が回転自在となるように設けられたものであり、回転部７０を回転中心として、第２ケース体４０は、第１ケース体２０の外側であって背面２４ｄとは異なる方向、この実施の形態においては、正面２４ａ側に向けて回転して、第１ケース体２０の収容部２８を開閉する。
【００１７】
第１ケース体２０における底面２２から回転部７０の長さと第２ケース体４０における上面４２から回転部７０間での長さは、略同一に設けられている。
第１ケース体２０の開口部２６は、回転部７０を下端として、第１ケース体２０の正面２４ａから背面２４ｄに向かって、斜め上方向に形成されている。また、第２ケース体４０の開口部４６は、回転部７０を下端として、第２ケース体４０の正面４４ａから背面４４ｄに向かって、斜め上方向に形成されている。
第１ケース体２０の開口部２６により形成される面の延長面と第１ケース体２０の底面２２の延長面との交わる箇所におけるなす角は、第２ケース体４０の開口部４６により形成される面の延長面と第２ケース体４０の上面４２の延長面との交わる箇所におけるなす角と、略同一である。上記角度は、たとえば、約５５度で形成されている。
また、第１ケース体２０の胴部２４は、たとえば、第１ケース体２０の底面２２に対して垂直に形成されており、第２ケース体４０の胴部４４は、例えば、第２ケース体４０の上面４２に対して垂直に形成されている。
また、第１ケース体２０の正面２４ａと第１ケース体２０の底面２２とのなす角と第２ケース体４０の正面４４ａと第２ケース体４０の上面４２とのなす角との和は、１８０度に形成される。本実施例においては、第１ケース体２０の正面２４ａと第１ケース体２０の底面２２とは垂直に形成され、第２ケース体４０の正面４４ａと第２ケース体４０の上面４２とは垂直に形成されている。
【００１８】
スタンド機能付眼鏡ケース１０を携帯用眼鏡ケースとして使用しているとき、すなわち、第２ケース体４０を第１ケース体２０における被蓋の機能として使用しているときは、第１ケース体２０の底面２２と第２ケース体４０の上面４２とは、略平行に形成されている。
このとき、第１ケース体２０の背面２４ｄの上端辺に取り付けられた、たとえば、磁石により形成された接合手段３０と、第２ケース体４０の背面４４ｄの下端辺に取り付けられた、たとえば、金属片により形成された接合手段５０とが接合し、第１ケース体２０の背面２４ｄと第２ケース体４０の背面４４ｄとで、略同一平面が形成される。そうすると、スタンド機能付眼鏡ケース１０は、携帯用眼鏡ケースとして安定して使用することができる。
【００１９】
次に、この発明にかかるスタンド機能付眼鏡ケース１０を卓上スタンドケースとして使用する状態を説明する。
スタンド機能付眼鏡ケース１０を卓上スタンドケースとして使用する際には、第１ケース体２０の上部に配置される第２ケース体４０が回転部７０を回転中心として、１８０度回転することで、第１ケース体２０の正面２４ａ側に第２ケース体４０が配置される。そうすると、第１ケース体２０の底部２２と第２ケース体４０の上面４２が、同一平面に形成され、第１ケース体２０の正面２４ａと第２ケース体４０の正面４４ａが接合する。
また、第１ケース体２０の開口部２６により形成される面と第２ケース体４０の開口部４６により形成される面とは、略同一平面を形成する。
このとき、第２ケース体４０は、第１ケース体２０の被蓋する蓋の役割ではなく、卓上スタンドケースの役割を有する。
上述の状態を安定して維持するために、第１ケース体２０の正面２４ａおよび第２ケース体４０の正面４４ａに、たとえば、磁石により形成される維持手段３２，維持手段５２が設けられており、それらが接合する。そうすると、卓上スタンドケースとして使用するとき、第１ケース体２０の正面２４ａと第２ケース体４０の正面４４ａとが離れることを防止するため、安定して、スタンド機能付眼鏡ケース１０を卓上スタンドケースとして使用することができる。
【００２０】
なお、本発明にかかるスタンド機能付眼鏡ケースにおいて、第１ケース体２０の開口部２６が形成する面の延長面と底面２２の延長面との交わる箇所において形成される角度および第２ケース体の開口部４６の延長面と上面４２の延長面との交わる箇所において形成される角度は、約５５度に形成されているが、それに限られるものではない。
すなわち、図４および図５に示すように、第１ケース体２０の開口部２６が形成する面の延長面と底面２２との延長面との交わる箇所により形成される角度および第２ケース体４０の開口部４６が形成する面の延長面と上面４２との延長面との交わる箇所により形成される角度は、スタンド機能付眼鏡ケース１０に示すように、３０度程度でもよいし、スタンド機能付眼鏡ケース１０に示すように、０度、すなわち、第１ケース体２０の底面２２および第２ケース体４０の上面４２に対して平行に開口部２６および開口部４６により形成される面が設けられてもよい。
そうすると、卓上スタンドケースとして使用するとき、第２ケース体４０における背面４４ｄの上面４２付近から開口部４６までの長さが大きくなることから、第２ケース体４０の収容部４８に眼鏡を安定して配置させることが可能となる。
【００２１】
また、本発明にかかるスタンド機能付眼鏡ケースにおいては、図６に示すように、第２ケース体４０の背面４４ｄに別途扉部材８０を設けるようにしてもよい。
すなわち、スタンド機能付眼鏡ケース１０において、扉部材８０は、第１扉部材８０ａおよび第２扉部材８０ｂにより形成される。第１扉部材８０ａは、第２ケース体４０の背面４４ｄの幅方向の長さと第２ケース体４０の右側面４４ｂもしくは左側面４４ｃにおける背面４４ｄ側の端辺４４ｂ１、４４ｃ１の長さを有した略矩形に形成されている。第１扉部材８０ａの一方端辺は、第２ケース体４０の左側面４４ｃの第２ケース体４０の背面４４ｄ寄りの端辺４４ｃ１において回動自在な支持部７２を介して連結されている。
第２扉部材８０ｂは、略矩形の形状に形成されており、第１扉部材８０ａの他方端辺において、該第１扉部材８０ａに対して略垂直に連設している。第２扉部材８０ｂの略中央部には、たとえば、磁性体である板状の金属片により形成された扉閉じ手段８２が設けられている。第２ケース体４０の右側面４４ｂにおける第２ケース体４０の背面４４ｄ寄りの端辺４４ｂ１略中央付近には、扉閉じ手段８４が、たとえば、磁石が配置されることにより形成されている。
このとき、第２ケース体４０の背面４４ｄにおける上端辺から下端辺の長さは、第２ケース体４０の右側面４４ｂもしくは左側面４４ｃにおける背面４４ｄ側の端辺４４ｂ１，４４ｃ１の長さの概ね半分の長さに形成されている。
そうすると、第１ケース体２０の収容部２８に眼鏡Ｇを配置した場合において、扉部材８０を開いた状態で第２ケース体４０を閉めるとき、第２ケース体４０の背面４４ｄが、該眼鏡Ｇに当たることなく第２ケース体４０を閉めることが可能となる。
【００２２】
なお、第１扉部材８０ａの一方端辺は、第２ケース体４０の左側面４４ｃにおける第２ケース体４０の背面４４ｄ寄りの端辺４４ｃ１において支持部７２を介して連結されているが、それに限られるものではなく、第２ケース体４０の右側面４４ｂにおける第２ケース体４０の背面４４ｄ寄りの端辺４４ｂ１において支持部７２を設け、該支持部７２を介して連結されるようにされてもよい。
また、本実施例においては、第２ケース体４０の背面４４ｄとは別に扉部材８０が設けられているが、それに限られるものではなく、第２ケース体４０の背面４４ｄ自体が、扉部材８０の役割を有するように形成されてもよい。
【００２３】
また、本発明にかかるスタンド機能付眼鏡ケースにおいては、図６に示すように、第１ケース体２０の右側面２４ｂの上端辺および第１ケース体２０の左側面２４ｃの上端辺における上部側においては、それぞれの内縁に沿って、内枠部９０が形成されていてもよい。そうすると、第１ケース体２０を第２ケース体４０で蓋をしたとき、第１ケース体２０の開口部２６および第２ケース体４０の開口部４６における両側辺に隙間を作ることなく蓋をすることができる。
すなわち、第１ケース体２０の開口部２６の周縁端と第２ケース体４０の開口部の周縁端とが接合することにより、隙間を作ることなく第１ケース体２０に対して第２ケース体４０により蓋をすることができる。
【００２４】
また、本発明にかかるスタンド機能付眼鏡ケースにおいて、第１ケース体２０の背面２４ｄにおいて、さらに、取付手段３６が、たとえば、磁石を配置させることにより設けられていてもよい。そうすると、図７（ｂ）に示すように、スタンド機能付眼鏡ケース１０を卓上スタンドケースとして使用する場合も、磁性体を有する被固定部たる壁に対して、第１ケース体２０を該壁に取り付けることが可能である。
【００２５】
また、本発明にかかるスタンド機能付眼鏡ケースにおいて、第１ケース体２０の正面２４ａの下端部に形成されている維持手段３２には、磁石を配置し、第２ケース体４０の正面４４ａの上端部に形成されている維持手段５２には、磁石を配置しているが、それに限られるものではなく、維持手段３２もしくは維持手段５２のいずれかに磁石を配置するようにしてもよい。
なお、本実施例においては、維持手段３２および維持手段５２は、磁石および磁性体を配置させるとしたが、それに限られるものではなく、維持手段３２および維持手段５２には、磁石および磁性体の代わりに面ファスナを用いてもかまわない。
【００２６】
図８は、この発明にかかる別の実施の形態である眼鏡ケースを携帯用眼鏡ケースとして使用した状態を示す斜視図である。図９は、この発明にかかる別の実施の形態である眼鏡ケースを壁面に取り付けた状態を示す斜視図である。
【００２７】
眼鏡ケース１１０は、第１ケース本体１２０と、蓋体としての機能とケース本体としての機能を併せ有する第２ケース体１４０とにより構成され、たとえば、収容部を有する略直方体とした箱状体に形成される。
第１ケース体１２０は、ケース本体としての役割を有し、第２ケース体１４０は、第１ケース体１２０の収容部の開口部を被蓋する蓋体としての役割を有しており、第１ケース体１２０の上部に第２ケース体１４０が配置される。
【００２８】
第１ケース体１２０は、底面１２２と胴部１２４とにより眼鏡Ｇを収容するための収容部１２８が形成されている。
第１ケース体１２０における胴部１２４は、たとえば、正面１２４ａ、右側面１２４ｂ、左側面１２４ｃ、背面１２４ｄの４面により形成されており、第１ケース体１２０は、底面１２２とともに箱状体に形成されている。収容部１２８における底面１２２の反対側、すなわち、正面１２４ａ、右側面１２４ｂ、左側面１２４ｃ、上面１２１（の接合手段１３０）のそれぞれ端辺の４辺により開口部１２６が設けられている。
【００２９】
第１ケース体１２０は、たとえば、板紙により略直方体とした箱状体を形作る芯材１２０ａにより形成され、該芯材１２０ａの収容部１２８側である内側面は、たとえば、フェルト等の保護材１２０ｃにより覆われるように形成されている。
また、第１ケース体１２０の正面１２４ａの下端部において、維持手段１３２が、たとえば、磁石を配置することにより形成される。
【００３０】
第２ケース体１４０は、上面１４２と胴部１４４とにより収容部１４８が形成されている。第２ケース体１４０は、上述したように、第１ケース体１２０の開口部１２６を被蓋する蓋体としての役割を有する。第２ケース体１４０における胴部１４４は、たとえば、正面１４４ａ、右側面１４４ｂ、左側面１４４ｃ、上面１４２の４面により形成されており、第２ケース体１４０は、上面１４２とともに箱状体に形成されている。収容部１４８における上面１４２、右側面１４４ｂ、左側面１４４ｃ、上面１４２（の接合手段１５０）のそれぞれの端辺の４辺により開口部１４６が設けられている。
【００３１】
第２ケース体１４０は、たとえば、板紙により略直方体とした箱状体を形作る芯材１４０ａにより、該芯材１４０ａの収容部１４８側である内側面は、たとえば、フェルト等の保護材１４０ｃにより覆われるように形成されている。
また、第２ケース体１４０の正面１４４ａの上端部において、維持手段１５２が、たとえば、磁石を配置することにより形成される。
【００３２】
第１ケース体１２０は、上面１２１を備えており、上面１２１から水平方向に、すなわち底面１２２と平行に接合手段１３０が突設されている。
第２ケース体１４０は、接合手段１５０が上面１４２の先端から水平方向に、すなわち底面１２２と平行に突設されている。
【００３３】
この実施の形態の第１ケース体１２０は、正面１２４ａの高さが低く、一方、第２ケース体１４０は、正面１４４ａの高さ方向の長さが長く、第１ケース体１２０の正面１２４ａと第２ケース体１４０の正面１４４ａとを合わせた高さ（高さ方向の長さ）は、背面１２４ｄの高さ（高さ方向の長さ）と略同一に形成されている。
【００３４】
第１ケース体１２０および第２ケース体１４０は、第１ケース体１２０における背面１２４ｄ、底面１２２、正面１２４ａ、上面１２１および第２ケース体１４０における正面１４４ａ、上面１４２の大きさとした矩形に形成された表側部材１６０が、第１ケース体１２０における背面１２４ｄ、底面１２２、正面１２４ａ、上面１２１および第２ケース体１４０における正面１４４ａ、上面１４２の略中央付近に、たとえば、接着剤等により接着されることで、第１ケース体１２０と第２ケース体１４０とが連結され一体に形成される。
表側部材１６０は、たとえば、柔軟な合成皮等からなる基材１６０ａと、該基材１６０ａの外側を包むように貼着された柔軟な合成皮等からなる表面材１６０ｂとを有している。
【００３５】
第１ケース体１２０の背面１２４ｄ及び第２ケース体１４０の背面１４４ｄには、壁面等の被固定部にこの眼鏡ケース１１０を固定するための取付手段１３６が形成されている。
この実施の形態においては、表側部材１６０を構成する基材１６０ａと表面材１６０ｂとの間に、板状の磁石板を挟着して、取付手段１３６が形成されている。
【００３６】
第１ケース体１２０の開口部１２６および第２ケース体１４０の開口部１４６は、枠状とした略同一形状に形成されており、たとえば、側面視Ｌ字状に形成されている。
そして、開口部１２６，開口部１４６のそれぞれ対向する位置において、開口部１２６および開口部１４６の周端縁の一部、たとえば、第１ケース体１２０の正面１２４ａの上端辺および第２ケース体１４０の正面１４４ａの下端辺に相当する表側部材１６０の部分には、第１ケース体１２０および第２ケース体１４０とを連結する回転部１７０が設けられている。
回転部１７０は、第２ケース体１４０が回転自在となるように設けられたものであり、回転部１７０を回転中心として、第２ケース体１４０は、第１ケース体１２０の外側であって背面１２４ｄとは異なる方向、この実施の形態においては、正面１２４ａ側に向けて回転して、第１ケース体１２０の収容部１２８を開閉する。
【００３７】
第１ケース体１２０の胴部１２４は、眼鏡Ｇの幅すなわち右のつると左のつるとの間の間隔よりわずかに長い高さを備えており、眼鏡ケース１１０をコンパクトなものとしている。
【００３８】
第１ケース体１２０の開口部１２６は、回転部１７０を下端として、第１ケース体１２０の正面１２４ａから背面１２４ｄに向かって、中間まで斜め上方向に形成され且つ中間から上方に向けて垂直に形成されている。また、第２ケース体１４０の開口部１４６は、回転部１７０を下端として、第２ケース体１４０の正面１４４ａから第１ケース体１２０の背面１２４ｄ側に向かって、中間まで斜め上方向に形成され且つ中間から上方に向けて垂直に形成されている。
また、第１ケース体１２０の胴部１２４は、たとえば、第１ケース体１２０の底面１２２に対して垂直に形成されており、第２ケース体１４０の胴部１４４は、例えば、第２ケース体１４０の上面１４２に対して垂直に形成されている。
また、第１ケース体１２０の正面１２４ａと第１ケース体１２０の底面１２２とのなす角と第２ケース体１４０の正面１４４ａと第２ケース体１４０の上面１４２とのなす角との和は、１８０度に形成される。本実施の形態においては、第１ケース体１２０の正面１２４ａと第１ケース体１２０の底面１２２とは垂直に形成され、第２ケース体１４０の正面１４４ａと第２ケース体１４０の上面１４２とは垂直に形成されている。
【００３９】
眼鏡ケース１１０を携帯用眼鏡ケースとして使用しているとき、すなわち、第２ケース体１４０を第１ケース体１２０における被蓋の機能として使用しているときは、第１ケース体１２０の底面１２２と第２ケース体１４０の上面１４２とは、略平行に形成されている。
このとき、第１ケース体１２０の背面１２４ｄの上端辺に取り付けられた、たとえば、磁石により形成された接合手段１３０と、第２ケース体１４０の背面１４４ｄの下端辺に取り付けられた、たとえば、金属片により形成された接合手段１５０とが接合し、第１ケース体１２０の背面１２４ｄと第２ケース体１４０の背面１４４ｄとで、略同一平面が形成される。そうすると、眼鏡ケース１１０は、携帯用眼鏡ケースとして安定して使用することができる。
【００４０】
本発明にかかる眼鏡ケース１１０においては、第１ケース体１２０の背面１２４ｄにおいて、取付手段１３６が、磁石を配置させることにより設けられているので、図９に示すように、磁性体を有する被固定部たる壁に対して、第１ケース体１２０を該壁に取り付けることが可能である。
なお、本実施の形態においては、維持手段１３２および維持手段１５２は、磁石および磁性体を配置させるとしたが、それに限られるものではなく、維持手段１３２および維持手段１５２には、磁石および磁性体の代わりに面ファスナを用いてもかまわない。
【００４１】
図１０は、この発明にかかる別の実施の形態である眼鏡ケースを携帯用眼鏡ケースとして使用した状態を示す斜視図である。図１１は、この発明にかかる眼鏡ケースを壁面に取り付けた状態を示す斜視図である。図１２は、この発明にかかる眼鏡ケースの蓋体を開いた場合における断面図である。
【００４２】
眼鏡ケース２１０は、第１ケース本体２２０と、蓋体としての機能とケース本体としての機能を併せ有する第２ケース体２４０とにより構成され、たとえば、収容部を有する略直方体とした箱状体に形成される。
第１ケース体２２０は、ケース本体としての役割を有し、第２ケース体２４０は、第１ケース体２２０の収容部の開口部を被蓋する蓋体としての役割を有しており、第１ケース体２２０の上部に第２ケース体２４０が配置される。
【００４３】
第１ケース体２２０は、底面２２２と胴部２２４とにより眼鏡Ｇを収容するための収容部２２８が形成されている。収容部２２８には、たとえば、仕切り部材２３４が、たとえば、取り外し可能に配置されている。
第１ケース体２２０における胴部２２４は、たとえば、正面２２４ａ、右側面２２４ｂ、左側面２２４ｃ、背面２２４ｄの４面により形成されており、第１ケース体２２０は、底面２２２とともに箱状体に形成されている。収容部２２８における底面２２２の反対側、すなわち、正面２２４ａ、右側面２２４ｂ、左側面２２４ｃ、背面２２４ｄのそれぞれ上端辺の４辺により開口部２２６が設けられている。
【００４４】
第１ケース体２２０の胴部２２４は、前記図１図示実施の形態の第１ケース体２０と比して低く(高さ方向が短い)、正面２２４ａ、右側面２２４ｂ、左側面２２４ｃ、背面２２４ｄは、略同一の高さ（高さ方向の長さ）を備えている。
【００４５】
第１ケース体２２０の背面２２４ｄの上端辺付近において、第２ケース体２４０により第１ケース体２２０に蓋をした状態を維持するための接合手段２３０が、たとえば、磁石を配置することにより形成される。本実施例においては、後に述べる表側部材２６０の第１ケース体２２０の背面２２４ｄ上端辺の上部側に、接合手段２３０が形成される。接合手段２３０を構成する磁石（マグネット）は、鉄板等の磁性体を含む壁面等の被固定部に固定する取付手段としての機能を有する。
また、第１ケース体２２０の正面２２４ａの下端部において、維持手段２３２が、たとえば、磁石を配置することにより形成される。
【００４６】
第１ケース体２２０は、たとえば、板紙により略直方体とした箱状体を形作る芯材２２０ａにより形成され、該芯材２２０ａの収容部２２８側である内側面は、たとえば、フェルト等の保護材２２０ｃにより覆われるように形成されている。
【００４７】
第２ケース体２４０は、上面２４２と胴部２４４とにより収容部２４８が形成されている。第２ケース体２４０は、上述したように、第１ケース体２２０の開口部２２６を被蓋する蓋としての役割を有する。第２ケース体２４０における胴部２４４は、たとえば、正面２４４ａ、右側面２４４ｂ、左側面２４４ｃ、背面２４４ｄの４面により形成されており、第２ケース体２４０は、上面２４２とともに箱状体に形成されている。収容部２４８における上面２４２の反対側、すなわち、正面２４４ａ、右側面２４４ｂ、左側面２４４ｃ、背面２４４ｄのそれぞれの下端辺の４辺により開口部２４６が設けられている。
【００４８】
第２ケース体２４０の胴部２４４は、前記図１図示実施の形態の第２ケース体４０と比して、高く（高さ方向が長い）、正面２４４ａ、右側面２４４ｂ、左側面２４４ｃ、背面２４４ｄは、略同一の高さ（高さ方向の長さ）を備えている。
第２ケース体２４０は、胴部２４４と上面２４２とにより形成された上部開放型の箱状体であるので、開口部２４６から眼鏡拭きなどの小物を入れて収納することができる。
【００４９】
第２ケース体２４０の背面２４４ｄの下端辺には、第２ケース体２４０により第１ケース体２２０に蓋をした状態を維持するための接合手段２５０が、たとえば、磁性体である板状の金属片により設けられている。該接合手段２５０は、第２ケース体２４０の背面２４４ｄの略中央から下端辺に向かって、後に述べる表側部材２６０の厚さ分低く設けられる。
また、第２ケース体２４０の正面２４４ａの上端部において、維持手段２５２が、たとえば、磁石を配置することにより形成される。
第２ケース体２４０は、たとえば、板紙により略直方体とした箱状体を形作る芯材２４０ａにより形成され、該芯材２４０ａの収容部２４８側である内側面は、たとえば、フェルト等の保護材２４０ｃにより覆われるように形成されている。
【００５０】
第１ケース体２２０および第２ケース体２４０は、第１ケース体２２０における背面２２４ｄ、底面２２２、正面２２４ａおよび第２ケース体２４０における正面２４４ａ、上面２４２、背面２４４ｄの大きさとした矩形に形成された表側部材２６０が、第１ケース体２２０における背面２２４ｄ、底面２２２、正面２２４ａおよび第２ケース体２４０における正面２４４ａ、上面２４２、背面２４４ｄの略中央付近に、たとえば、接着剤等により接着されることで、第１ケース体２２０と第２ケース体２４０とが一体に形成される。
表側部材２６０は、たとえば、柔軟な合成皮等からなる基材２６０ａと、該基材２６０ａの外側を包むように貼着された柔軟な合成皮等からなる表面材２６０ｂとを有している。
【００５１】
第２ケース体２４０の背面２４４ｄは、基材２６０ａとその外側を包む表面材２６０ｂとの間に、背面２４４ｄにあたる基材２６０ａの形状と略同一形状の板状磁石からなる取付手段２３６が添設されている。
【００５２】
第１ケース体２２０の開口部２２６および第２ケース体２４０の開口部２４６は、枠状とした略同一形状に形成されており、たとえば、側面視直線に形成されている。
そして、開口部２２６，開口部２４６のそれぞれ対向する位置において、開口部２２６および開口部２４６の周端縁の一部、たとえば、第１ケース体２２０の正面２２４ａの上端辺および第２ケース体２４０の正面２４４ａの下端辺に相当する表側部材２６０の部分には、第１ケース体２２０および第２ケース体２４０とを連結する回転部２７０が設けられている。
回転部２７０は、第２ケース体２４０が回転自在となるように設けられたものであり、回転部２７０を回転中心として、第２ケース体２４０は、第１ケース体２２０の外側であって背面２２４ｄとは異なる方向、この実施の形態においては、正面２２４ａ側に向けて回転して、第１ケース体２２０の収容部２２８を開閉する。
【００５３】
第１ケース体２２０の開口部２２６は、回転部２７０を下端として、第１ケース体２２０の正面２２４ａから背面２２４ｄに向かって、水平に形成されている。また、第２ケース体２４０の開口部２４６は、回転部２７０を下端として、第２ケース体２４０の正面２４４ａから背面２４４ｄに向かって、水平に形成されている。
第１ケース体２２０の開口部２２６により形成される面の延長面と第１ケース体２２０の底面２２２の延長面との交わる箇所におけるなす角は、第２ケース体２４０の開口部２４６により形成される面の延長面と第２ケース体２４０の上面２４２の延長面との交わる箇所におけるなす角と、略同一である。上記角度は、たとえば、約５５度で形成されている。
また、第１ケース体２２０の胴部２２４は、たとえば、第１ケース体２２０の底面２２２に対して垂直に形成されており、第２ケース体２４０の胴部２４４は、例えば、第２ケース体２４０の上面２４２に対して垂直に形成されている。
また、第１ケース体２２０の正面２２４ａと第１ケース体２２０の底面２２２とのなす角と第２ケース体２４０の正面２４４ａと第２ケース体２４０の上面２４２とのなす角との和は、１８０度に形成される。本実施の形態においては、第１ケース体２２０の正面２２４ａと第１ケース体２２０の底面２２２とは垂直に形成され、第２ケース体２４０の正面２４４ａと第２ケース体２４０の上面２４２とは垂直に形成されている。
【００５４】
眼鏡ケース２１０を携帯用眼鏡ケースとして使用しているとき、すなわち、第２ケース体２４０を第１ケース体２２０における蓋体の機能として使用しているときは、第１ケース体２２０の底面２２２と第２ケース体２４０の上面２４２とは、略平行に形成されている。
このとき、第１ケース体２２０の背面２２４ｄの上端辺に取り付けられた、たとえば、磁石により形成された接合手段２３０と、第２ケース体２４０の背面２４４ｄの下端辺に取り付けられた、たとえば、金属片により形成された接合手段２５０とが接合し、第１ケース体２２０の背面２２４ｄと第２ケース体２４０の背面２４４ｄとで、略同一平面が形成される。
【００５５】
前記図１０図示実施の形態の眼鏡ケース２１０においては、回転部２７０は、開口部２２６、開口部２４６のそれぞれ対向する位置において、開口部２２６及び２４６の周端縁の一部である第１ケース体２２０の正面２２４ａの上端辺及び第２ケース体２４０の正面２４４ａの下端辺に形成されているが、回転部２７０は、側面に設けられてもよい。
例えば、図１３及び１４において示すように、回転部２７０は、第１ケース体２２０の左側面２２４ｃ及び第２ケース体２４０の左側面２４４ｃに形成してもよい。
【００５６】
図１５は、この発明にかかる眼鏡ケースを携帯用眼鏡ケースとして使用した状態を示す斜視図である。図１６は、この発明にかかる眼鏡ケースを壁面に取り付けた状態を示す斜視図である。
【００５７】
眼鏡ケース４１０は、第１ケース本体４２０と、蓋体としての機能とケース本体としての機能を併せ有する第２ケース体４４０とにより構成され、たとえば、収容部を有する略直方体とした箱状体に形成される。
第１ケース体４２０は、ケース本体としての役割を有し、第２ケース体４４０は、第１ケース体４２０の収容部の開口部を被蓋する蓋体としての役割を有しており、第１ケース体４２０の上部に第２ケース体４４０が配置される。
【００５８】
第１ケース体４２０は、底面４２２と胴部４２４とにより眼鏡Ｇを収容するための収容部４２８が形成されている。
第１ケース体４２０における胴部４２４は、たとえば、正面４２４ａ、右側面４２４ｂ、左側面４２４ｃ、背面４２４ｄの４面により形成されており、第１ケース体４２０は、底面４２２とともに箱状体に形成されている。収容部４２８における底面４２２の反対側、すなわち、正面４２４ａ、右側面４２４ｂ、左側面４２４ｃ、背面４２４ｄのそれぞれ上端辺の４辺により開口部４２６が設けられている。
【００５９】
第１ケース体４２０の右側面４２４ｂの上端辺付近において、第２ケース体４４０により第１ケース体４２０に蓋をした状態を維持するための接合手段４３０が、たとえば、磁石を配置することにより形成される。本実施例においては、後に述べる表側部材４６０の第１ケース体４２０の背面４２４ｄ上端辺の上部側に、接合手段４３０が形成される。
【００６０】
第１ケース体４２０は、たとえば、板紙により略直方体とした箱状体を形作る芯材４２０ａにより形成され、該芯材４２０ａの収容部４２８側である内側面は、たとえば、フェルト等の保護材４２０ｃにより覆われるように形成されている。
【００６１】
第２ケース体４４０は、上面４４２と胴部４４４とにより収容部４４８が形成されている。第２ケース体４４０は、上述したように、第１ケース体４２０の開口部４２６を被蓋する蓋としての役割を有する。第２ケース体４４０における胴部４４４は、たとえば、正面４４４ａ、右側面４４４ｂ、左側面４４４ｃの３面により形成されており、第２ケース体４４０は、上面４４２とともに箱状体に形成されている。収容部４４８における上面４４２の反対側、すなわち、正面４４４ａ、右側面４４４ｂ、左側面４４４ｃのそれぞれの下端辺の３辺により開口部４４６が設けられている。
第２ケース体４４０の右側面４４４ｂの下端辺には、第２ケース体４４０により第１ケース体４２０に蓋をした状態を維持するための接合手段４５０が、たとえば、磁性体である板状の金属片により設けられている。
第２ケース体４４０は、たとえば、板紙により略直方体とした箱状体を形作る芯材４４０ａにより形成され、該芯材４４０ａの収容部４４８側である内側面は、たとえば、フェルト等の保護材４４０ｃにより覆われるように形成されている。
【００６２】
第１ケース体４２０の背面４２４ｄは、正面４２４ａより、第２ケース体４４０の正面４４４ａの高さ相当高く上方に延びており、第１ケース体４２０の開口部４２６を第２ケース体４４０で被蓋したときには、第２ケース体４４０の正面４４４ａと対向して、第１ケース体４２０の開口部４２６の全体を第２ケース体４４０で覆うように形成されている。
【００６３】
第１ケース体４２０および第２ケース体４４０は、第１ケース体４２０における背面４２４ｄ、底面４２２、正面４２４ａおよび第２ケース体４４０における正面４４４ａ、上面４４２、背面４４４ｄの大きさとした矩形に形成された表側部材４６０が、第１ケース体４２０における背面４２４ｄ、底面４２２、正面４２４ａおよび第２ケース体４４０における正面４４４ａ、上面４４２、背面４４４ｄの略中央付近に、たとえば、接着剤等により接着されている。
表側部材４６０は、たとえば、柔軟な合成皮等からなる基材４６０ａと、該基材４６０ａの外側を包むように貼着された柔軟な合成皮等からなる表面材４６０ｂとを有している。
【００６４】
第１ケース体４２０の開口部４２６および第２ケース体４４０の開口部４４６は、枠状とした略同一形状に形成されており、たとえば、側面視直線に形成されている。
【００６５】
前記実施の形態においては、回転部７０は、第１ケース体２０の胴部２４の開口部２６を構成する開口縁及び第２ケース体４０の胴部４４の開口部４６を構成する開口縁に設けられているが、蓋体を構成する第２ケース体４０は、第１ケース体２０の外側であって背面２４ｄ側とは異なる方向に向けて、回転部を回転中心として回転して、開閉されるように構成すればよい。
【００６６】
図１５及び１６図示実施の形態の眼鏡ケース４１０においては、第１ケース体４２０の背面４２４ｄの延長部分４２４ｄ1と第２ケース体４４０の左側面４４４ｃの背面側部位とが接続されており、それらの接続部位が回転部４７０を形成している。
【００６７】
また、例えば、図１７及び１８に示すように、第１ケース体４２０の胴部４４４の開口部４２６と第２ケース体４４０の胴部４４４の開口部４４６とにおいて、第１ケース体４２０の背面４２４ｄ及び第２ケース体４４０の背面４４４ｄに円柱状の枢軸４７０ａを固定し、固定された枢軸４７０ａを中心として第２ケース体４４０が回転して、開閉するようにする構成された回転部４７０としてもよい。
枢軸４７０ａは、第２ケース体４４０の背面４４４ｄに固定され、第１ケース体４２０の背面４２４ｄに形成された枢軸穴４７０ｂに嵌挿され、枢軸４７０ａを中心として第１ケース体４２０が回転するように形成される。
【００６８】
第１ケース体４２０は、第２ケース体４４０の開口部４４６を被蓋する蓋としての役割を果たすために、第１ケース体４２０の開口部４２６と第２ケース体４４０の開口部４４６とが重ね合わさった位置に固定されることが必要である。
この実施の形態においては、第２ケース体４４０の背面４４４ｄの開口部４４６の開口縁より上方に向けて、停止手段たる停止片４５４が突設され、該停止片４５４に第１ケース体４２０の背面４２４ｄが当接して、第１ケース体４２０の開口部４２６と第２ケース体４４０の開口部４４６が重ね合わされる。
第２ケース体４４０は、第１ケース体４２０の開口部４２６を塞いだ状態において適宜ホックの付着した固定片により、第１ケース体４２０と第２ケース体４４０とを固定するようにしてもよい。
【００６９】
前記実施の形態の眼鏡ケース１０は、略直方体状であるが、その形状はそれに限られるものではない。
例えば、図１７及び１８に示すように、全体が略長球状の眼鏡ケース５１０としてもよい。
図１７は、この発明にかかる眼鏡ケースを携帯用眼鏡ケースとして使用した状態を示す斜視図である。図１８及び１９は、この発明にかかる眼鏡ケースを壁面に取り付けた状態を示す斜視図である。
【００７０】
眼鏡ケース５１０は、第１ケース体５２０と、蓋体としての機能とケース本体としての機能を併せ有する第２ケース体５４０とにより構成され、たとえば、収容部を有する略直方体とした箱状体に形成される。
第１ケース体５２０は、ケース本体としての役割を有し、第２ケース体５４０は、第１ケース体５２０の収容部の開口部を被蓋する蓋体としての役割を有しており、第１ケース体５２０の上部に第２ケース体５４０が配置される。
【００７１】
前記第１ケース体５２０は、背面５２４ｄの周辺より、上面５２１、右側面５２４ｂ、左側面５２４ｃ及び底面５２２が立設されて胴部５２４が形成され、胴部５２４の内側に収容部５２８が形成されている。
前記第２ケース体５４０は、前記第１ケース体５２０の背面５２４ｄと対向する正面５４４ａの周辺より、上面５４２、右側面５４４ｂ、左側面５４４ｃ及び底面５４５が立設されて胴部５４４が形成され、胴部５４４の内側に収容部５４８が形成されている。
【００７２】
前記第１ケース体５２０に形成される前記収容部５２８の開口部５２６と、前記第２ケース体５４０に形成される前記収容部５４８の開口部５４６とは、略同一形状に形成されている。
前記第１ケース体５２０の開口部５２６及び前記第２ケース体５４０の開口部５４６において、前記第１ケース体５２０の胴部５２４と第２ケース体５４０の胴部５４４とが対向する位置には、第１ケース体５２０と第２ケース体５４０とを連結する回転部５７０が設けられている。
【００７３】
前記第１ケース体５２０は、背面５２４ｄにおいて取付手段５３６の磁力により被固定部に固定される。
前記第２ケース体５４０は、第１ケース体５２０の外側であって背面５２４ｄ側とは異なる方向に向けて、前記回転部５７０を回転中心として回転して、開閉される。
【００７４】
第１ケース体５２０は、底面５２２と胴部５２４とにより眼鏡Ｇを収容するための収容部５２８が形成され、開口部５２６の一部に落下防止ネット５３４が、たとえば、取り外し可能に配置されている。
【００７５】
第２ケース体５４０は、図１９において示すように、第１ケース体５２０を回転部５７０を下方にした横長状にして壁等の被固定部に固定し、開いた状態とすれば、小物入れとなる。
【図面の簡単な説明】
【００７６】
【図１】この発明にかかるスタンド機能付眼鏡ケースを携帯用眼鏡ケースとして使用した状態を示す斜視図である。
【図２】この発明にかかるスタンド機能付眼鏡ケースを卓上スタンドケースとして使用した状態を示す側面図である。
【図３】図２に示すスタンド機能付眼鏡ケースを卓上スタンドケースとして使用した状態における断面図である。
【図４】この発明にかかるスタンド機能付眼鏡ケースの他の実施例を示す斜視図である。
【図５】この発明にかかるスタンド機能付眼鏡ケースのさらに他の実施例を示す斜視図である。
【図６】この発明にかかるスタンド機能付眼鏡ケースのさらに他の実施例を示す斜視図である。
【図７】この発明にかかるスタンド機能付眼鏡ケースの使用例を示す側面図であって、（ａ）携帯用眼鏡ケースを壁に取り付けた場合、（ｂ）卓上スタンドケースを壁に取り付けた場合を示す。
【図８】この発明にかかる別の実施の形態である眼鏡ケースを携帯用眼鏡ケースとして使用した状態を示す斜視図である。
【図９】この発明にかかる別の実施の形態である眼鏡ケースを壁面に取り付けた状態を示す斜視図である。
【図１０】この発明にかかる別の実施の形態である眼鏡ケースを携帯用眼鏡ケースとして使用した状態を示す斜視図である。
【図１１】この発明にかかる眼鏡ケースを壁面に取り付けた状態を示す斜視図である。
【図１２】この発明にかかる眼鏡ケースの蓋体を開いた場合における断面図である。
【図１３】図１０図示眼鏡ケースの変形例たる眼鏡ケースを携帯用眼鏡ケースとして使用した状態を示す斜視図である。
【図１４】図１３図示眼鏡ケースを壁面に取り付けた状態を示す斜視図である。
【図１５】この発明にかかる眼鏡ケースを携帯用眼鏡ケースとして使用した状態を示す一部を断面図とした斜視図解図である。
【図１６】この発明にかかる眼鏡ケースを壁面に取り付けた状態を示す斜視図である。
【図１７】図１５図示眼鏡ケースの変形例たる眼鏡ケースを携帯用眼鏡ケースとして使用した状態を示す斜視図である。
【図１８】図１７図示眼鏡ケースを壁面に取り付けた状態を示す斜視図である。
【図１９】この発明にかかる眼鏡ケースを携帯用眼鏡ケースとして使用した状態を示す斜視図である。
【図２０】この発明にかかる眼鏡ケースを壁面に取り付けた状態を示す斜視図である。
【図２１】この発明にかかる眼鏡ケースを壁面に取り付けた状態を示す斜視図である。
【符号の説明】
【００７７】
１０  スタンド機能付眼鏡ケース
１１０，２１０，４１０，５１０  眼鏡ケース
２０，１２０，２２０，４２０，５２０  第１ケース体
２０ａ，１２０ａ，２２０ａ，４２０ａ  芯材
２０ｃ，１２０ｃ，２２０ｃ，４２０ｃ  保護材
２２，１２２，２２２，４２２，５２２  底面
２４，１２４，２２４，４２４，５２４  胴部
２４ａ，１２４ａ，２２４ａ，４２４ａ  正面
２４ｂ，１２４ｂ，２２４ｂ，４２４ｂ，５２４ｂ  右側面
２４ｃ，１２４ｃ，２２４ｃ，４２４ｃ，５２４ｃ  左側面
２４ｄ，１２４ｄ，２２４ｄ，４２４ｄ，５２４ｄ  背面
２６，１２６，２２６，４２６，５２６  開口部
２８，１２８，２２８，４２８，５２８  収容部
３０，１３０，２３０，４３０  接合手段
３２，１３２，２３２  維持手段
３４，２３４  仕切り部材
３６，１３６，２３６，５３６  取付手段
４０，１４０，２４０，４４０，５４０  第２ケース体
４０ａ，１４０ａ，２４０ａ，４４０ａ  芯材
４０ｃ，１４０ｃ，２４０ｃ，４４０ｃ  保護材
４２，１４２，２４２，４４２，５４２  上面
４４，１４４，２４４，４４４，５４４  胴部
４４ａ，１４４ａ，２４４ａ，４４４ａ，５４４ａ  正面
４４ｂ，１４４ｂ，２４４ｂ，４４４ｂ，５４４ｂ  右側面
４４ｃ，１４４ｃ，２４４ｃ，４４４ｃ，５４４ｃ  左側面
４４ｄ，１４４ｄ，２４４ｄ，４４４ｄ  背面
４６，１４６，２４６，４４６，５４６  開口部
４８，１４８，２４８，４４８，５４８  収容部
５０，１５０，２５０，４５０  接合手段
５２，１５２，２５２  維持手段
６０，１６０，２６０，４６０  表側部材
７０，１７０，２７０，４７０，５７０  回転部
６０ａ，１６０ａ，２６０ａ，４６０ａ  基材
６０ｂ，１６０ｂ，２６０ｂ，４６０ｂ  表面材
１２１，５２１  上面
１８０  扉部材
１８０ａ  第１扉部材
１８０ｂ  第２扉部材
１９０  内枠部
４５４  停止片
４７０ａ  枢軸
４７０ｂ  枢軸穴
５３４  落下防止ネット
５４５  底面
【図１】
2007195893.tif 000003
【図２】
2007195893.tif 000004
【図３】
2007195893.tif 000005
【図４】
2007195893.tif 000006
【図５】
2007195893.tif 000007
【図６】
2007195893.tif 000008
【図７】
2007195893.tif 000009
【図８】
2007195893.tif 000010
【図９】
2007195893.tif 000011
【図１０】
2007195893.tif 000012
【図１１】
2007195893.tif 000013
【図１２】
2007195893.tif 000014
【図１３】
2007195893.tif 000015
【図１４】
2007195893.tif 000016
【図１５】
2007195893.tif 000017
【図１６】
2007195893.tif 000018
【図１７】
2007195893.tif 000019
【図１８】
2007195893.tif 000020
【図１９】
2007195893.tif 000021
【図２０】
2007195893.tif 000022
【図２１】
2007195893.tif 000023